(57)【要約】【課題】省電力化を実現する受信装置を提供する。【解決手段】デジタル放送を受信するチューナー部１と、チューナー部１によって受信された受信信号を復調するＯＦＤＭ復調部２と、ＯＦＤＭ復調部２によって復調された受信信号に対して、誤り訂正処理を施した第１の放送信号Ｔ１を出力する誤り訂正部３と、誤り訂正部３から出力された第１の放送信号Ｔ１に部分受信信号が含まれているか否かを判断し、部分受信信号が含まれている場合は前記部分受信信号のみを抽出する部分受信検出部４と、部分受信信号に対して、ＴＳレートを低減化するＴＳ低速処理を施した第２の放送信号Ｔ３を出力するＴＳ低速処理部５とを具備することを特徴とする。【選択図】  図１
2009284247.tif 000002
【特許請求の範囲】
【請求項１】
デジタル放送の受信信号を復調する復調部と、
前記復調部によって復調された前記受信信号に対して、誤り訂正処理を施した第１の放
送信号を出力する誤り訂正部と、
前記第１の放送信号に部分受信信号が含まれているか否かを判断し、前記第１の放送信
号に前記部分受信信号が含まれている場合は、前記部分受信信号のみを抽出する部分受信
検出部と、
前記部分受信信号に対して、ＴＳレートを低減化するＴＳ低速処理を施した第２の放送
信号を出力するＴＳ低速処理部と
を具備することを特徴とする受信装置。
【請求項２】
前記第１の放送信号と前記第２の放送信号とを切り替え出力する切り替え出力部を
更に具備することを特徴とする請求項１に記載の受信装置。
【請求項３】
前記復調された受信信号に、緊急警報情報が含まれているか否かを検出し、前記復調さ
れた受信信号に、前記緊急警報情報が含まれている場合に、第１の切り替え信号を、前記
切り替え出力手段に出力する第１の検出部を更に具備し、
前記切り替え出力部は、前記第１の切り替え信号をもとに、前記第１の放送信号と前記
第２の放送信号とを切り替え出力することを特徴とする請求項２に記載の受信装置。
【請求項４】
前記緊急警報情報は、ＯＦＤＭ伝送信号に含まれるＴＭＣＣ信号の一部であることを特
徴とする請求項３に記載の受信装置。
【請求項５】
バッテリーのバッテリー残量を監視し、前記バッテリー残量が所定量以下になった場合
に、第２の切り替え信号を前記切り替え出力部に出力する第２の検出部を更に具備し、
前記切り替え出力部は、前記第２の切り替え信号をもとに、前記第１の放送信号と前記
第２の放送信号とを切り替え出力することを特徴とする請求項２乃至４のいずれか１つに
記載の受信装置。
【請求項６】
前記誤り訂正部によって計測された誤り訂正処理の誤り率が入力される第３の検出部を
更に具備し、
前記第３の検出部は、前記誤り訂正部から出力された前記誤り率が、所定値より高くな
った場合に、第３の切り替え信号を前記切り替え出力部に出力し、
前記切り替え出力部は、前記第３の切り替え信号をもとに、前記第１の放送信号と前記
第２の放送信号とを切り替え出力することを特徴とする請求項２乃至５のいずれか１つに
記載の受信装置。
【発明の詳細な説明】
【技術分野】
【０００１】
本発明は、デジタル信号受信装置に関する。
【背景技術】
【０００２】
近年、デジタルテレビジョン放送が開始されている。欧州と日本においては、地上波テ
レビジョン放送システムの伝送方式としてＯＦＤＭ（Ｏｒｔｈｏｇｏｎａｌ  Ｆｒｅｑｕ
ｅｎｃｙ  Ｄｉｖｉｓｉｏｎ  Ｍｕｌｔｉｐｌｅｘｉｎｇ）変調方式が採用されている。
ＯＦＤＭ変調方式は、広域信号を互いに直交する多数の搬送波で伝送することにより、地
上波テレビジョン放送において必須の伝送条件であるマルチパス伝播路における遅延干渉
特性を改善できる利点を有している。
【０００３】
日本のデジタル放送では、ＩＳＤＢ−Ｔ（Ｉｎｔｅｇｒａｔｅｄ  Ｓｅｒｖｉｃｅｓ  
Ｄｉｇｉｔａｌ  Ｂｒｏａｄｃａｓｔｉｎｇ  ｆｏｒ  Ｔｅｒｒｅｓｔｒｉａｌ）の地上
波デジタルテレビジョン方式（以下ＩＳＤＢ−Ｔ方式と記す）が採用されている。ＩＳＤ
Ｂ−Ｔ方式においては、ＭＰＥＧ２規格で規定されたＴＳ（Ｔｒａｎｓｐｏｒｔ  Ｓｔｒ
ｅａｍ）に、外符号化（例えば、ＲＳ符号化）及び内符号化（例えば、畳み込み符号化）
による誤り訂正符号化、インターリーブ符号化、デジタル変調等の信号処理が施され、さ
らにＯＦＤＭ変調されて出力される。ここで、ＴＳとは、音声信号や映像信号などが符号
化、及びパケット化されたものであり、具体的には、複数のＴＳパケット単位で構成され
、各ＴＳパケットは、符号化された音声信号、映像信号、データ放送及び電子番組表（Ｅ
ＰＧ：Ｅｌｅｃｔｒｉｃ  Ｐｒｏｇｒａｍ  Ｇｕｉｄｅ）などのパケットで構成されてい
る。
【０００４】
ＩＳＤＢ−Ｔの符号化方式により規定される送信データは、ＭＰＥＧ２規格で規定され
るＴＳパケット複数個からなるデータのグループ単位で構成され、このデータのグループ
毎にパイロット信号を付加したＯＦＤＭセグメントが１３個組合されて（１３セグメント
）送信される。
【０００５】
また、ＩＳＤＢ−Ｔ方式では、伝送特性の異なる複数の階層を同時に伝送する階層伝送
が可能である。各階層は、１つ又は複数のＯＦＤＭセグメントにより構成され、階層毎に
キャリア変調方式、内符号の符号化率、時間インターリーブ長等の伝送パラメータを指定
することが可能である。この、複数の伝送パラメータの混在を可能とするために、各ＯＦ
ＤＭセグメントには、制御信号であるＴＭＣＣ（Ｔｒａｎｓｍｉｓｓｉｏｎ  ａｎｄ  Ｍ
ｕｌｔｉｐｌｅｘｉｎｇ  Ｃｏｎｆｉｇｕｒａｔｉｏｎ  Ｃｏｎｔｒｏｌ：伝送多重構成
制御）信号が付加され、このＴＭＣＣ信号が付加されたＯＦＤＭセグメントが１３個でＯ
ＦＤＭシンボルが構成され、さらにＯＦＤＭシンボルが２０４個でＯＦＤＭフレームが構
成される。
【０００６】
その後、ＩＦＦＴ（逆高速フーリエ変換）、ガードインターバル付加、直交変調、周波
数変換を施され、ＲＦ信号としてＯＦＤＭ伝送信号が出力される。
【０００７】
この地上波デジタル放送のサービスの１つとして、送信側（放送局）において、上記１
３個のセグメント（１３セグメント）のうち１２個を利用した１２セグメント放送と呼ば
れる高品質の放送信号と、残りの１セグメントを利用した１セグメント放送と呼ばれる低
品質だがノイズに強く、低いＣ／Ｎ（キャリアノイズ比）でも受信可能な放送信号とを用
いて、同じ内容の情報を同時に放送するサービスがある。これを階層化サービスと呼ぶ。
なお、以下この１セグメント放送の放送信号を部分受信信号と呼ぶ。
【０００８】
上述のＴＭＣＣ信号には、この部分受信信号の有無や、また、緊急警報情報が放送中で
あるか否かを示すフラグが付加されている。このフラグを利用して、緊急警報情報が放送
中の場合、視聴する放送を、１２セグメント放送の放送信号から部分受信信号に切り替え
、ノイズに強い部分受信信号の放送を利用して、例えば移動中の不安定な状況でも緊急警
報情報放送を確実に受信することのできる技術が知られている。（例えば、特許文献１参
照）
しかし、上記特許文献１のように部分受信信号の放送を出力する際も、通常の１２セグ
メント放送を出力するときと同様の処理速度で処理し、出力すると、緊急警報情報放送時
など、特に省電力化が要求される場合に、消費電力が削減できなかった。
【特許文献１】特開２００７−９６４０３（［００１５］、図１）
【発明の開示】
【発明が解決しようとする課題】
【０００９】
本発明は、省電力化を実現する受信装置を提供することを目的とする。
【課題を解決するための手段】
【００１０】
上記目的を達成するために、本発明の一態様の受信装置は、デジタル放送の受信信号を
復調する復調部と、前記復調部によって復調された前記受信信号に対して、誤り訂正処理
を施した第１の放送信号を出力する誤り訂正部と、前記第１の放送信号に部分受信信号が
含まれているか否かを判断し、前記第１の放送信号に前記部分受信信号が含まれている場
合は、前記部分受信信号のみを抽出する部分受信検出部と、前記部分受信信号に対して、
ＴＳレートを低減化するＴＳ低速処理を施した第２の放送信号を出力するＴＳ低速処理部
とを具備することを特徴とする。
【発明の効果】
【００１１】
本発明によれば、省電力化を実現することが可能な受信装置を提供することができる。
【発明を実施するための最良の形態】
【００１２】
以下本発明の実施の形態について、図面を参照して説明する。
【００１３】
（第１の実施の形態）
図１は本発明の第１の実施の形態に係る受信装置２００の構成を示すブロック図である
。なお、本装置全体の制御は、マイクロプロセッサからなる制御部１００が司っており、
ＲＯＭ等の記録媒体に記録されたプログラムを読み込むことにより、そのプログラムに記
述された手順に従って各種処理を実行する。
【００１４】
まず、アンテナＡＮＴによって受信されたＯＦＤＭ伝送信号は、チューナー部１により
周波数変換、直交検波された後、ＯＦＤＭ復調部２でガードインターバル除去、ＦＦＴ（
高速フーリエ変換）された後、復調される。そして、誤り訂正部３で外符号化及び内符号
化処理の逆処理を行うことで誤り訂正処理が行われ、放送局から送り出されたＴＳに戻さ
れる。
【００１５】
そして、この放送局から送り出されたＴＳのＴＳパケット（以下第１の放送信号Ｔ１と
記す）は、部分受信検出部４及び外部の双方に出力される。部分受信検出部４では、この
第１の放送信号Ｔ１から、部分受信信号のみを抜き出し、ＴＳ低速処理部５で、この抜き
出された部分受信信号を、その部分受信信号に相当する低速のＴＳレートに変換して、そ
の低速のＴＳレートのＴＳである第２の放送信号Ｔ３を外部に出力する。なお、第１の放
送信号Ｔ１は、１３セグメントのＯＦＤＭ信号で構成され、第２の放送信号Ｔ３は１セグ
メントのＯＦＤＭ信号で構成される。
【００１６】
次に、ＴＳ低速処理部５の動作の詳細について、図２を参照して説明する。
【００１７】
まず、誤り制御部３から出力された第１の放送信号Ｔ１が部分受信検出部４に入力され
る。部分受信検出部４は、ＴＭＣＣ信号に含まれる部分受信フラグの有無
とＴＭＣＣ信号の伝送パラメータをもとに、第１の放送信号Ｔ１から部分受信信号のみを
抜き出し、その部分受信信号をＴＳ低速処理部５に出力する。ＴＳ低速処理部５では、ま
ず、書き込み処理部５１でその部分受信信号をバッファ５２に書き込む。次に、読み出し
処理部５３でバッファ５２に書き込まれた部分受信信号を低速レートで読み出すことで、
部分受信信号のＴＳレートを低減した第２の放送信号Ｔ３を出力する。
【００１８】
次に、本実施の形態の動作について説明する。
【００１９】
以下の各フローチャートで示される処理は、マイクロコンピュータである制御部１００
が所定のプログラムを読み込むことにより実行される。他の実施形態においても同様であ
り、それぞれの実施形態に対応したプログラムを制御部１００が読み込むことで実行され
る。
【００２０】
まず、誤り訂正部３から出力された第１の放送信号Ｔ１と第２の放送信号Ｔ３との双方
の信号を受信装置２００の外部に出力するまでの動作について図３のフローチャートを参
照して説明する。
【００２１】
ステップＳ１で、受信アンテナＡＮＴにおけるＯＦＤＭ伝送信号の受信から、誤り訂正
部３における誤り訂正処理までを実行し、ステップＳ２ａで、第１の放送信号Ｔ１が、部
分受信検出部４及び受信装置２００の外部の、双方に出力される。そして、ステップＳ３
で、部分受信検出部４に出力された第１の放送信号Ｔ１に部分受信信号が含まれているか
否かを判断する。第１の放送信号Ｔ１に部分受信信号が含まれている場合、ステップＳ４
で、ＴＳ低速処理部５が、その部分受信信号に対してＴＳ低速処理を実行し、ステップＳ
５で、ＴＳ低速処理された部分受信信号である第２の放送信号Ｔ３を受信装置２００の外
部に出力し、ステップＳ６で全てのＯＦＤＭ伝送信号の処理が終了したか否かを判断し、
終了していれば本動作は終了し、終了していない場合は、ステップＳ１に戻り、全てのＯ
ＦＤＭ伝送信号が終了するまで上記動作を繰り返す。なお、ステップＳ３で部分受信信号
がないと判断された場合は、ステップＳ６に進む。
【００２２】
次に、図４に示すように、図１の構成にＴＳ切り替え出力部６及びＭＰＥＧデコード部
７を更に付加した構成について説明する。なお、ＡＮＴから誤り訂正部３までの構成は図
２と同様であるので説明は省略する。
【００２３】
誤り訂正部３は、第１の放送信号Ｔ１を、ＴＳ切り替え出力部６及び部分受信検出部４
の、双方に出力する。そして、ＴＳ切換え出力部６には、第１の放送信号Ｔ１と、部分受
信検出部４及びＴＳ低速処理部５を介した第２の放送信号Ｔ３との、双方が入力される。
ＴＳ切り替え出力部６では、視聴者からの切り替え信号に基づいて、第１の放送信号Ｔ１
と第２の放送信号Ｔ３とのいずれか一方を、ＭＰＥＧデコード部７に出力する。そして、
ＭＰＥＧデコード部７で、第１の放送信号Ｔ１又は、第２の放送信号Ｔ３が復号化され、
第１の放送信号Ｔ１に対しては、１３セグメントのうち高品質放送用の１２セグメントを
用いた１２セグメント放送が、第２の放送信号Ｔ３に対しては１セグメントを用いた１セ
グメント放送が、受信装置２００の外部に出力される。なお、ＴＳ切り替え出力部６を介
さずに、第１の放送信号Ｔ１と、第２の放送信号Ｔ３とを、それぞれ誤り訂正部３、ＴＳ
低速処理部５から直接ＭＰＥＧデコード部７に出力し、ＭＰＥＧデコード部７以降の処理
で、切り替え処理を実行してもよい。
【００２４】
次に、第１の放送信号Ｔ１と第２の放送信号Ｔ３とを、切り替えてＭＰＥＧデコード部
７に信号出力する動作について、図５のフローチャートを参照して説明する。まず、ステ
ップＳ１乃至ステップＳ３については、図３のフローチャートと同様である。次に、ステ
ップＳ７ａで、ＴＳ切り替え出力部６が、視聴者からの切り替え信号に基づき、第１の放
送信号Ｔ１と第２の放送信号Ｔ３のどちらの放送信号を出力するかを判断する。そして、
ステップＳ７ａで、第２の放送信号Ｔ３を出力すると判断した場合は、ステップＳ８で、
第２の放送信号Ｔ３に対してＭＰＥＧデコード部７の復号処理を施し、１セグメント放送
を受信装置２００ａの外部に出力する。また、ステップＳ７ａで、第１の放送信号Ｔ３を
出力すると判断した場合は、ステップＳ８で、第１の放送信号Ｔ１に対してＭＰＥＧデコ
ード部７の復号処理を施し、１２セグメント放送をＯＦＤＭ受信層２００ａの外部に出力
する。
【００２５】
本実施の形態によれば、本発明に係る受信装置は、一方で第１の放送信号を受信装置の
外部へ出力し、他方で第１の放送信号から部分受信信号を抜き出し、かつ、その部分受信
信号を低速レートで読み出すことで部分受信信号のＴＳレートを低減した第２の放送信号
を受信装置の外部に出力することができ、受信装置の外部で、第１の放送信号を視聴する
か、また、第２の放送信号を視聴するかの選択が可能になる。
【００２６】
更に、第１の放送信号と第２の放送信号の出力処理の後、ＴＳ切り替え出力部を設ける
ことで、視聴者が１セグメント放送と１２セグメント放送のどちらを視聴するかを選択し
た結果に合わせて出力対象の信号を切り替えることができる。これにより、例えば、１セ
グメント放送のみを視聴する場合、ＭＰＥＧデコード部では第２の放送信号のみが処理さ
れることになる。この第２の放送信号はＴＳレートが低減されているので、ＭＰＥＧデコ
ード部における処理レートは低減され、その結果、ＭＰＥＧデコード部における消費電力
を削減することができる。
【００２７】
（第２の実施の形態）
図６は、本発明の第２の実施の形態に係る受信装置２００ｂの構成を示すブロック図で
ある。本実施の形態が第１の実施の形態と異なるのは、第１の実施の形態では、ＴＳ切り
替え処理部６からＭＰＥＧデコード部７に、第１の放送信号Ｔ１又は第２の放送信号Ｔ３
を切り替え出力する際に、視聴者から入力される切り替え信号をもとに行っていたのに対
し、本実施の形態の受信装置２００ｂは、緊急警報情報の受信時に、ＴＭＣＣ検出部１０
から切り替え出力部６に切り替え信号が自動で出力され、その切り替え信号をもとに、Ｍ
ＰＥＧデコード部７に第１の放送信号Ｔ１又は第２の放送信号Ｔ３を切り替え出力する点
である。
【００２８】
具体的には、ＯＦＤＭ復調部２は、誤り訂正部３に、復調されたＯＦＤＭ信号を出力す
る一方で、ＯＦＤＭ信号に含まれるＴＭＣＣ信号のみをＴＭＣＣ検出部１０に出力する。
ＴＭＣＣ検出部１０は、このＴＭＣＣ信号に、緊急警報情報が含まれているか否かを判断
し、緊急警報情報が含まれている場合には、ＴＳ切り替え出力部６に切り替え信号を出力
する。そして、ＴＳ切り替え出力部６は、この切り替え信号をもとに、第１の放送信号Ｔ
１と第２の放送信号Ｔ３との出力の切り替えを行う。
【００２９】
次に、本実施の形態の動作について図７のフローチャートを参照して説明する。図７の
フローチャートと、第１の実施の形態で説明した図５のフローチャートとは、第１の放送
信号Ｔ１の出力先及び、ＴＳ切り替え判断方法が異なる。
【００３０】
第１の放送信号Ｔ１の出力先は、ステップＳ２ｂで示すようにＴＳ切り替え判断部６及
び部分受信検出部４である。
【００３１】
また、ＴＳ切り替え判断は、緊急警報情報があるか否かを判断することによって切り替
えの判断を行っている。具体的には、ステップＳ７ｂで緊急警報情報があるか否かを判断
し、緊急警報情報があると判断した場合は、ステップＳ８で、第２の放送信号Ｔ３に対し
てＭＰＥＧデコード部７の復号処理を施し、１セグメント放送を受信装置２００ｂの外部
に出力する。また、ステップＳ７ｂで緊急警報情報がないと判断した場合は、ステップＳ
８で、第１の放送信号Ｔ１に対してＭＰＥＧデコード部７の復号処理を施し、１２セグメ
ント放送を受信装置２００ｂの外部に出力する。
【００３２】
本実施の形態によれば、受信装置が、第１の放送信号から部分受信信号を抜き出し、か
つ、その部分受信信号を低速レートで読み出すことで、部分受信信号のＴＳレートを低減
した第２の放送信号を出力することができる。
【００３３】
更に、第１の放送信号と第２の放送信号の出力処理後、ＴＳ切り替え出力部で、ＴＭＣ
Ｃ検出部における緊急警報の検出結果にもとづき、第１の放送信号と第２の放送信号とを
切り替えて出力することができる。これにより、例えば、緊急警報が検出された場合は第
２の放送信号のみがＭＰＥＧデコード部に出力され、ＭＰＥＧデコード部では第２の放送
信号のみが処理され、１セグメント放送を受信装置の外部に出力することができる。この
第２の放送信号はＴＳレートが低減されているので、ＭＰＥＧデコード部における処理レ
ートは低減され、その結果、ＭＰＥＧデコード部における消費電力を削減することができ
、緊急時で受信装置の充電ができないときなどでも受信装置への給電の長期化を図れる。
更に、１セグメント放送はノイズに強く、低いＣ／Ｎ（キャリアノイズ比）でも受信可能
であるので、災害時等の緊急時で、１３個の全てのセグメントの受信状況が不安定な場合
でも、受信しやすい。
【００３４】
（第３の実施の形態）
図８は、本発明の第３の実施の形態に係る受信装置２００ｃの構成を示すブロック図で
ある。本実施の形態が第１の実施の形態と異なるのは、第１の実施の形態では、ＴＳ切り
替え処理部６からＭＰＥＧデコード部７に、第１の放送信号Ｔ１又は第２の放送信号Ｔ３
を切り替え出力する際に、視聴者から入力される切り替え信号をもとに行っていたのに対
し、本実施の形態の受信装置２００ｃは、受信装置２００ｃに電源を供給するバッテリー
のバッテリー残量が所定値以下になったとき、電力検出部１１から切り替え出力部６に切
り替え信号が自動で出力され、その切り替え信号をもとに、ＭＰＥＧデコード部７に第１
の放送信号Ｔ１又は第２の放送信号Ｔ３を切り替え出力する点である。なお、本実施の形
態の受信装置２００ｃの電源は受信装置２００ｃ内部のバッテリーから供給されているも
のとする。
【００３５】
具体的には、バッテリー残量を監視する電力検出部１１が、バッテリー残量が予め設定
した所定量以下になった場合に、ＴＳ切り替え出力部６に切り替え信号を出力する。そし
て、ＴＳ切り替え出力部６は、この切り替え信号をもとに、第１の放送信号Ｔ１と第２の
放送信号Ｔ３との出力の切り替えを行う。
【００３６】
次に、本実施の形態の動作について図９のフローチャートを参照して説明する。図９の
フローチャートと第１の実施の形態の図５のフローチャートとは、第１の放送信号の出力
先及び、ＴＳ切り替え判断方法が異なる。
【００３７】
第１の放送信号Ｔ１の出力先は、ステップＳ２ｂで示すようにＴＳ切り替え判断部６及
び部分受信検出部４である。
【００３８】
また、ＴＳ切り替え判断は、バッテリー残量が所定量以下になったか否かを判断するこ
とによって切り替え判断を行っている。具体的には、ステップＳ７ｃでバッテリー残量が
所定量以下になったか否かを判断し、所定量以下になった場合は、ステップＳ８で、第２
の放送信号Ｔ３に対してＭＰＥＧデコード部７の復号処理を施し、１セグメント放送を受
信装置２００ｃの外部に出力する。また、バッテリー残量が所定量以下になっていない場
合は、ステップＳ８で、第１の放送信号Ｔ１に対してＭＰＥＧデコード部７の復号処理を
施し、１２セグメント放送を受信装置２００ｃの外部に出力する。なお、バッテリー残量
が所定量以下になった場合でも、その後充電することにより所定量以上になった場合は、
ステップＳ８で１２セグメント放送が出力される。
【００３９】
本実施の形態によれば、受信装置が第１の放送信号から部分受信信号を抜き出し、かつ
、その部分受信信号を低速レートで読み出すことで、部分受信信号のＴＳレートを低減し
た第２の放送信号を出力することができる。
【００４０】
更に、第１の放送信号Ｔ１と第２の放送信号Ｔ３の出力処理後、ＴＳ切り替え出力部で
、受信装置のバッテリー残量の検出結果にもとづきの信号を切り替えることができる。こ
れにより、例えば、受信装置の内部バッテリーが所定量以下になった場合、第２の放送信
号Ｔ３のみがＭＰＥＧデコード部に出力され、ＭＰＥＧデコード部では第２の放送信号Ｔ
３のみが処理されることになる。この第２の放送信号Ｔ３はＴＳレートが低減されている
ので、ＭＰＥＧデコード部における処理レートは低減され、その結果、ＭＰＥＧデコード
部における消費電力を削減することができる。そのため、受信装置のバッテリー残量が減
少した場合でも、１セグメント放送により放送の視聴を継続することができる。
【００４１】
（第４の実施の形態）
図１０は、本発明の第４の実施の形態に係る受信装置２００ｄの構成を示すブロック図
である。本実施の形態が第１の実施の形態と異なるのは、第１の実施の形態では、ＴＳ切
り替え処理部６からＭＰＥＧデコード部７に、第１の放送信号Ｔ１又は第２の放送信号Ｔ
３を切り替え出力する際に、視聴者から入力される切り替え信号をもとに行っていたのに
対し、本実施の形態の受信装置２００ｄは、誤り訂正部３から誤り率検出部１２に誤り率
が出力され、この誤り率が所定値より高くなったとき、誤り検出部１２からＴＳ切り替え
出力部６に切り替え信号が自動で出力され、その切り替え信号をもとに、ＭＰＥＧデコー
ド部７に第１の放送信号Ｔ１又は第２の放送信号Ｔ３を切り替え出力する点である。
【００４２】
具体的には、誤り停止部３から誤り率検出部１２に、ＯＦＤＭ信号の誤り率が出力され
、この誤り率が予め設定した所定値より高くなった場合に、ＴＳ切り替え出力部６に切り
替え信号を出力する。そして、ＴＳ切り替え出力部６は、この切り替え信号をもとに、第
１の放送信号Ｔ１と第２の放送信号Ｔ３との出力の切り替えを行う。
【００４３】
次に、本実施の形態の動作について図１１のフローチャートを参照して説明する。図１
１のフローチャートと第１の実施の形態の図５のフローチャートとは、第１の放送信号の
出力先及び、ＴＳ切り替え判断方法が異なる。
【００４４】
第１の放送信号Ｔ１の出力先は、ステップＳ２ｂで示すようにＴＳ切り替え判断部６及
び部分受信検出部４である。
【００４５】
また、ＴＳ切り替え判断は、誤り訂正部での誤り率が所定値より高くなったか否かを判
断することによって行っている。具体的には、ステップＳ７ｄで、誤り訂正部３から誤り
率検出部１２に出力された誤り率が、所定値より高くなったか否かを判断し、所定値より
高くなった場合は、ステップＳ８で、第２の放送信号Ｔ３に対してＭＰＥＧデコード部７
の復号処理を施し、１セグメント放送を受信装置２００ｄの外部に出力する。また、誤り
率が所定値より高くなっていない場合は、ステップＳ８で、第１の放送信号Ｔ１に対して
ＭＰＥＧデコード部７の復号処理を施し、１２セグメント放送を受信装置２００ｄの外部
に出力する。なお、一端所定値より高くなった場合でも、その後、誤り率が向上すること
により所定値より低くなった場合は、ステップＳ８で１２セグメント放送が出力される。
【００４６】
本実施の形態によれば、受信装置が第１の放送信号Ｔ１から部分受信信号を抜き出し、
かつ、その部分受信信号を低速レートで読み出すことで、部分受信信号のＴＳレートを低
減した第２の放送信号Ｔ３を出力することができる。
【００４７】
更に、第１の放送信号Ｔ１と第２の放送信号Ｔ３の出力処理後、ＴＳ切り替え出力部で
、誤り訂正部での誤り率にもとづき信号を切り替えることができる。これにより、例えば
、誤り訂正部の誤り率が所定値より悪化した場合、第２の放送信号Ｔ３のみがＭＰＥＧデ
コード部に出力され、ＭＰＥＧデコード部では第２の放送信号Ｔ３のみが処理されること
になる。この第２の放送信号Ｔ３はＴＳレートが低減されているので、ＭＰＥＧデコード
部における処理レートは低減され、その結果、ＭＰＥＧデコード部における消費電力を削
減することができる。
【００４８】
（第５の実施の形態）
図１２は、本発明の第５の実施の形態に係る受信装置２００ｅの構成を示すブロック図
である。上述した第１乃至４の実施の形態では、ＴＳ切り替え出力部への切り換え信号の
出力手段として、視聴者の選択に基づく場合、緊急警報情報にもとづく場合、受信装置２
００ｅの内部バッテリー低下にもとづく場合及び、誤り率の悪化にもとづく場合を、それ
ぞれ別々に実施していたが、本実施の形態では、図１２に示すように、これらの各切り替
え信号の出力手段を全て実装している。
【００４９】
本実施の形態の動作について、図１３のフローチャートを参照して説明する。本実施の
形態では、ステップＳ７ａ乃至７ｄを全てＯＲ条件で接続することにより、ステップＳ７
ａ乃至７ｄのいずれかがＹｅｓである場合、つまり、視聴者が第２の放送信号Ｔ３の出力
を選択した、もしくは、緊急警報を検出した、もしくは、受信装置２００ｅの内部バッテ
リーが低下した、もしくは、誤り訂正部３の誤り率が所定値より悪化した場合に、ＴＳ切
り替え出力部６は、第２の放送信号Ｔ３をＭＰＥＧデコード部７に出力する。
【００５０】
本実施の形態によれば、第１乃至４の実施の形態の効果に加え、ＴＳ切り替え出力に対
して、よりフレキシブルな選択が可能になる。
【００５１】
なお、本実施の形態では、これらの各切り替え信号の出力手段を全て実装したが、適宜
実装し、それらを適宜組み合わせても構わない。
【００５２】
なお、上述した第１乃至５の実施の形態では、ＴＳ切り替え出力部６での切り替え判断
は自動で行うと記したが、手動でも構わない。例えば、各々の切り替え信号がＴＳ切り替
え出力部６に入力された再に、画面表示や、音声出力などにより、その旨を視聴者に知ら
せ、視聴者が手動で切り替えてもよい。
【００５３】
また、上述した第１乃至５の実施の形態では、各種切り替え信号（視聴者による切り替
え信号、ＴＭＣＣ検出部１０からの切り替え信号、電力検出部１１からの切り替え信号、
誤り検出部１２からの切り替え信号）は、ＴＳ切り替え出力部６に入力されるが、制御部
１００に入力されても構わない。そして、制御部１００からＴＳ切り替え出力部６に切り
替え信号を出力してもよい。
【図面の簡単な説明】
【００５４】
【図１】本発明の第１の実施の形態に係る受信装置のブロック図である。
【図２】本発明の第１の実施の形態に係るＴＳ低速処理部の詳細ブロック図である。
【図３】本発明の第１の実施の形態に係る受信装置のフローチャートである。
【図４】本発明の第１の実施の形態に係る受信装置のブロック図である。
【図５】本発明の第１の実施の形態に係る受信装置のフローチャートである。
【図６】本発明の第２の実施の形態に係る受信装置のブロック図である。
【図７】本発明の第２の実施の形態に係る受信装置のフローチャートである。
【図８】本発明の第３の実施の形態に係る受信装置のブロック図である。
【図９】本発明の第３の実施の形態に係る受信装置のフローチャートである。
【図１０】本発明の第４の実施の形態に係る受信装置のブロック図である。
【図１１】本発明の第４の実施の形態に係る受信装置のフローチャートである。
【図１２】本発明の第５の実施の形態に係る受信装置のブロック図である。
【図１３】本発明の第５の実施の形態に係る受信装置のフローチャートである。
【符号の説明】
【００５５】
１：チューナー部
２：ＯＦＤＭ復調部
３：誤り訂正部
４：部分受信検出部
５：ＴＳ低速処理部
６：ＴＳ切り替え出力部
７：ＭＰＥＧデコード部
１０：ＴＭＣＣ検出部
１１：電力検出部
１１ａ：内部バッテリー
１２：誤り率検出部
５１：書き込み処理部
５２：バッファ
５３：読み出し処理部
１００：制御部
２００、２００ａ、２００ｂ、２００ｃ、２００ｄ、２００ｅ：受信装置
Ｔ１：第１の放送信号（１３セグメント）
Ｔ２：部分受信信号
Ｔ３：第２の放送信号（１セグメント）
Ｔ４：第１の放送信号（１３セグメント）又は第２の放送信号（１セグメント）
Ｔ５：１２セグメント放送又は１セグメント放送
【図１】
2009284247.tif 000003
【図２】
2009284247.tif 000004
【図３】
2009284247.tif 000005
【図４】
2009284247.tif 000006
【図５】
2009284247.tif 000007
【図６】
2009284247.tif 000008
【図７】
2009284247.tif 000009
【図８】
2009284247.tif 000010
【図９】
2009284247.tif 000011
【図１０】
2009284247.tif 000012
【図１１】
2009284247.tif 000013
【図１２】
2009284247.tif 000014
【図１３】
2009284247.tif 000015